(57)【要約】【課題】圧延材の搬送距離を短縮し、生産性を向上させることができるサイドガイド装置を提供する。【解決手段】サイドガイド装置４は、ガイド装置５及び６を備える。ガイド装置５及び６は、搬送テーブル３によって搬送される圧延材２に側方から接触する。ガイド装置６は、搬送テーブル３を間に挟んでガイド装置５の反対側に配置される。ガイド装置５及び６は、それぞれ、支持体７、複数のローラガイド９、駆動装置１０及び１１を備える。ローラガイド９は、回転軸が鉛直方向を向くように支持体７に回転可能に支持される。また、ローラガイド９は、圧延材２の搬送方向に沿って配置される。駆動装置１０は、ローラガイド９を回転させる。駆動装置１１は、支持体７が圧延材２に接近及び離隔するように支持体７を移動させる。【選択図】図１
2015062915.tif 000002
【特許請求の範囲】
【請求項１】
搬送テーブルによって搬送される圧延材に側方から接触する第１ガイド装置と、
前記搬送テーブルを間に挟んで前記第１ガイド装置の反対側に配置され、前記圧延材に側方から接触する第２ガイド装置と、
を備え、
前記第１ガイド装置と前記第２ガイド装置とは、それぞれ、
支持体と、
回転軸が鉛直方向を向くように前記支持体に回転可能に支持され、前記圧延材の搬送方向に沿って配置された複数のローラガイドと、
前記ローラガイドを回転させる第１駆動装置と、
前記支持体が前記圧延材に接近及び離隔するように前記支持体を移動させる第２駆動装置と、
を備えたサイドガイド装置。
【請求項２】
前記第１駆動装置は、前記支持体に支持され、前記ローラガイド毎に設けられた請求項１に記載のサイドガイド装置。
【請求項３】
前記第１ガイド装置及び前記第２ガイド装置は、リバース圧延用の圧延機に近接して配置された請求項１又は請求項２に記載のサイドガイド装置。
【発明の詳細な説明】
【技術分野】
【０００１】
この発明は、圧延プラントで用いられるサイドガイド装置に関する。
【背景技術】
【０００２】
鉄鋼プラント或いは非鉄プラントといった圧延プラントでは、例えば熱間圧延ラインにおいてリバース圧延が行われる。リバース圧延では、圧延材の進行方向を反転させることにより、同じ圧延機によって圧延材を複数回圧延する。
【０００３】
特許文献１に、リバース圧延を行う際に使用されるガイド装置が記載されている。特許文献１に記載されたガイド装置は、圧延機に隣接して設置され、圧延材を搬送テーブルの中央に合わせて配置する。
【先行技術文献】
【特許文献】
【０００４】
【特許文献１】特開２００７−１６７８７４号公報
【発明の概要】
【発明が解決しようとする課題】
【０００５】
リバース圧延が行われる従来の圧延ラインには、圧延材のセンタリングを行うためのガイド装置に隣接して、垂直圧延機（エッジャー）が備えられていた。垂直圧延機は、圧延材の幅方向の凹凸を低減させるための装置である。例えば、垂直圧延機はローラを備え、このローラを圧延材の端面に側方から接触させて圧延材の端面を平坦にする。
【０００６】
上記構成を備えた圧延ラインでは、圧延機によって圧延された圧延材は、ガイド装置及び垂直圧延機を通過した後に進行方向が反転され、再び圧延機によって圧延される。圧延材の搬送距離が長くなり、圧延ピッチを短縮することができないといった問題があった。リバース圧延では圧延パスが数十回に達することがあり、生産性が著しく低下してしまう。
【０００７】
この発明は、上述のような課題を解決するためになされた。この発明の目的は、圧延材の搬送距離を短縮し、生産性を向上させることができるサイドガイド装置を提供することである。
【課題を解決するための手段】
【０００８】
この発明に係るサイドガイド装置は、搬送テーブルによって搬送される圧延材に側方から接触する第１ガイド装置と、搬送テーブルを間に挟んで第１ガイド装置の反対側に配置され、圧延材に側方から接触する第２ガイド装置と、を備え、第１ガイド装置と第２ガイド装置とは、それぞれ、支持体と、回転軸が鉛直方向を向くように支持体に回転可能に支持され、圧延材の搬送方向に沿って配置された複数のローラガイドと、ローラガイドを回転させる第１駆動装置と、支持体が圧延材に接近及び離隔するように支持体を移動させる第２駆動装置と、を備えたものである。
【発明の効果】
【０００９】
この発明に係るサイドガイド装置を用いることにより、圧延材を搬送する距離を短縮させ、生産性を向上させることができる。
【図面の簡単な説明】
【００１０】
【図１】この発明の実施の形態１におけるサイドガイド装置を備えた圧延ラインの一部を示す図である。
【図２】図１に示す圧延ラインの一部の平面図である。
【発明を実施するための形態】
【００１１】
添付の図面を参照し、本発明を詳細に説明する。重複する説明は、適宜簡略化或いは省略する。各図では、同一又は相当する部分に、同一の符号を付している。
【００１２】
実施の形態１．
図１は、この発明の実施の形態１におけるサイドガイド装置を備えた圧延ラインの一部を示す図である。図２は、図１に示す圧延ラインの一部の平面図である。上述したように、鉄鋼プラント或いは非鉄プラントといった圧延プラントでは、例えば熱間圧延ラインにおいてリバース圧延が行われる。図１及び図２は、圧延ラインの一例として、リバース圧延が行われる熱間圧延ラインを示している。
【００１３】
１は圧延材２を圧延するための圧延機である。圧延材２は、搬送テーブル３によって搬送される。例えば、搬送テーブル３は、多数の搬送ローラ（図示せず）を備える。搬送ローラは、駆動装置（図示せず）によって駆動される。圧延材２は、搬送ローラが回転することにより、搬送ローラに載せられた状態で搬送ローラの回転方向に応じた方向に移動する。
【００１４】
リバース圧延では、搬送テーブル３によって圧延材２の進行方向が反転される。これにより、圧延材２が往復移動を繰り返し、同じ圧延機１によって複数回圧延される。例えば、圧延材２は圧延機１を１０乃至３０回程度通過し、所望の厚みに圧延される。圧延機１による圧延が完了すると、圧延材２は搬送テーブル３によって下流側に搬送される。
【００１５】
サイドガイド装置４は、例えば、圧延機１の下流側に圧延機１に隣接して配置される。サイドガイド装置４を圧延機１の上流側に配置しても良い。サイドガイド装置４を圧延機１の上流側と下流側との双方に配置しても良い。サイドガイド装置４は、センタリング機能と垂直圧延機能とを有する。
【００１６】
センタリング機能は、圧延材２が搬送テーブル３の中心線に沿って搬送されるように圧延材２を搬送テーブル３の中央に誘導案内する機能である。垂直圧延機能は、圧延材２の幅方向の凹凸を低減させる機能である。また、垂直圧延機能により、圧延材２の幅を所望の値にすることもできる。
【００１７】
サイドガイド装置４は、ガイド装置５及び６を備える。ガイド装置５及び６は、圧延機１に近接して配置される。ガイド装置５及び６は、搬送テーブル３によって搬送される圧延材２に側方から接触する。ガイド装置５は、圧延材２の一方の端面に接触する。ガイド装置６は、搬送テーブル３を間に挟んでガイド装置５の反対側に配置される。即ち、搬送テーブル３の両側にガイド装置５及び６が設けられる。ガイド装置６は、圧延材２の他方の端面に接触する。
【００１８】
ガイド装置５及び６は、左右対称の構成を有する。このため、以下においては、ガイド装置５の構成についてのみ詳しく説明する。ガイド装置６は、ガイド装置５と同様の構成を有するため、その詳細な説明は省略する。
【００１９】
ガイド装置５は、支持体７及び８、ローラガイド９、駆動装置１０及び１１を備える。
支持体７は、例えば、棒状の部材からなる。支持体７は、圧延材２の搬送方向に沿って水平に配置される。
【００２０】
ローラガイド９は、圧延材２に実際に接触する部材である。ローラガイド９は、回転軸が鉛直方向を向くように支持体７に回転可能に支持される。ガイド装置５には、複数のローラガイド９が備えられる。本実施の形態では、最も簡単な例として、ガイド装置５に２つのローラガイド９が設けられている場合を示している。ガイド装置５に３つ以上のローラガイド９を設けても良い。複数のローラガイド９は、圧延材２の搬送方向に沿って並んで配置される。
【００２１】
駆動装置１０は、ローラガイド９を回転させるための駆動力を発生させる。駆動装置１０は、例えば、ローラガイド９毎に設けられ、支持体７に支持される。駆動装置１０は、ローラガイド９の圧延材２側を向く面が圧延材２と同じ方向に移動するように、ローラガイド９を回転させる。
【００２２】
駆動装置１１は、支持体７を移動させるための駆動力を発生させる。支持体７の中央部に支持体８の一端部が接続される。駆動装置１１は、支持体８を介して支持体７を移動させる。具体的に、駆動装置１１は、支持体７が圧延材２に接近及び圧延材２から離隔するように、支持体７を水平に移動させる。支持体７の移動に伴い、ローラガイド９が圧延材２に接近し、圧延材２から離隔する。
【００２３】
上記構成のサイドガイド装置４を備えた熱間圧延ラインでは、圧延機１を通過した板状の圧延材２は、搬送テーブル３によってサイドガイド装置４の位置に搬送される。圧延材２は、ガイド装置５及び６間を通過する際に、センタリングと端面の平滑化とが行われる。また、必要に応じて圧延材２を所望の幅にするための圧延が行われる。
【００２４】
即ち、駆動装置１１によって支持体７が駆動され、ガイド装置５のローラガイド９の位置とガイド装置６のローラガイド９の位置とが適切に設定される。また、ローラガイド９は、駆動装置１０によって圧延材２の搬送方向に応じた方向に回転される。圧延材２は、一方の端面をガイド装置５のローラガイド９に、他方の端面をガイド装置６のローラガイド９に接触させながらガイド装置５及び６間を通過する。サイドガイド装置４によって圧延材２のセンタリングと端面の平滑化との双方を行うことができるため、圧延材２の搬送距離を短くすることができる。リバース圧延を行う場合に圧延ピッチを短縮させることができ、生産性を向上させることが可能となる。
【００２５】
なお、上記構成のサイドガイド装置４を熱間圧延ライン以外のラインに設置しても良い。
【符号の説明】
【００２６】
１  圧延機
２  圧延材
３  搬送テーブル
４  サイドガイド装置
５、６  ガイド装置
７、８  支持体
９  ローラガイド
１０、１１  駆動装置
【図１】
2015062915.tif 000003
【図２】
2015062915.tif 000004